(57)【要約】【課題】施工時には、取付位置の微調整を作業性よく行えるとともに、施工後は、区画する領域の変更が容易な間仕切り用上レール取付構造を提供する。【解決手段】天井スラブ５の下方に位置するとともに、床面と平行に並設された複数の間仕切り用上レール取付部Ａからなる上レール取付構造であって、該上レール取付部Ａの両端部を部屋の上部両壁面側に固定されたガイドレール４に嵌装し、該上レール取付部Ａ自身が間仕切りの可動方向と直角方向にスライド自在に架設されたことを特徴とする間仕切り用上レール取付構造。【選択図】図１
2004308327.tif 000002
【特許請求の範囲】
【請求項１】
天井スラブの下方に位置するとともに、床面と平行に並設された複数の間仕切り用上レール取付部からなる上レール取付構造であって、該上レール取付部の両端部を部屋の上部両壁面側に固定されたガイドレールに嵌装し、該上レール取付部自身が間仕切りの可動方向と直角方向にスライド自在に架設されたことを特徴とする間仕切り用上レール取付構造。
【請求項２】
上記上レール取付部が２本の天井下地材と、この天井下地材に挟持するように固定された上レール保持部とからなるとともに、上記上レール保持部下面に凹設された溝部に下方に開口した上レールが固定された請求項１に記載の間仕切り用上レール取付構造。
【請求項３】
上記上レール取付部がさらに補強金具によって補強された請求項２に記載の間仕切り用上レール取付構造。
【請求項４】
上記ガイドレールが、天井スラブから垂下された支持金具によって部屋の上部両壁面側に固定された請求項１に記載の間仕切り用上レール取付構造。
【請求項５】
上記ガイドレールが、互いに部屋の内方に開口したＣ型チャネルである請求項１に記載の間仕切り用上レール取付構造。
【発明の詳細な説明】
【０００１】
【発明の属する技術分野】
本発明は、間仕切り用の上レールの取付構造に関する。さらに詳しくは、室内を区画する吊り戸等、間仕切り用の板状体の上端部を保持する上レールを取付けるための、間仕切り用上レール取付構造に関する。
【０００２】
【従来の技術】
従来、室内を所定の領域に区画する場合、吊り戸等、間仕切り用の板状体の上端部を天井面に固定された上レールに保持し、所定の位置で下端部を床部に固定する構造が知られている（例えば、特許文献１、２、３参照。）。
【０００３】
【特許文献１】
特開平１１−９３３２１号公報（第１−４頁、第１図、第２図、第３図）
【特許文献２】
特開平６−３４６５３３号公報（第１−４頁、第１図、第２図、第５図）
【特許文献３】
特開平６−３４６５３２号公報（第１−４頁、第１図、第２図、第５図）
【０００４】
【発明が解決しようとする課題】
上記公知技術の一例としては、本願図６に示すように、間仕切り用上レール１０が、天井スラブ５に埋め込まれた支持金具２０によって吊下げ固定された構造が知られている。このとき、本願図７に示す側断面図からよくわかるように、支持金具２０に固定され、下方に開口した上レール１０には、例えば吊り戸６が、その上端部に設けられた回転手段７を介して往復自在に取付けられている。このようにして、吊り戸６は、所定の位置に設置され、上レール１０の天井材載置部１０１に天井材８を載置して、吊り戸６の施工を完了することができる。
【０００５】
しかしながら、上記従来技術によって取付けられた上レール１０は、室内の間取り変更を行うため該上レ−ル１０をその長手方向と直交する方向に水平移動をしようとする場合、支持金具２０の一端が天井スラブ５に埋め込まれているため、天井スラブ５を打ち砕いて支持金具２０を取り外す必要があり、また、天井材、天井下地材等の諸部材も解体しなければならず手間がかかるという問題がある。本発明は、このような問題を解決し、施工時には、上記間仕切り用上レールの取付位置の微調整を作業性よく行えるとともに、施工後は、区画する領域の変更を容易にできる、間仕切り用上レール取付構造を提供することをその課題とする。
【０００６】
【課題を解決するための手段】
本発明は、上記課題を解決するために、つぎのような技術的手段を講じている。すなわち、本発明によれば、天井スラブの下方に位置するとともに、床面と平行に並設された複数の間仕切り用上レール取付部からなる上レール取付構造であって、該上レール取付部の両端部を部屋の上部両壁面側に固定されたガイドレールに嵌装し、該上レール取付部自身が間仕切りの可動方向と直角方向にスライド自在に架設されたことを特徴とする間仕切り用上レール取付構造が提供される。このようにすることにより、施工時には、上記間仕切り用上レールの取付位置の微調整を作業性よく行え、また、施工後は、区画する領域の変更を容易に行うことができる。
【０００７】
上記上レール取付部が２本の天井下地材と、この天井下地材に挟持されるように固定された上レール保持部とからなるとともに、上記上レール保持部下面に凹設した溝部に下方に開口した上レールが固定されることが好ましい。また、上記天井下地材としては金属製の中空角柱を、上レール保持部としては木製を用いることが好ましい。このように構成し、２本の天井下地材と木製の上レール保持部とをビス留めすることにより、上レール取付部全体の強度が向上するため、その両端部を部屋の上部両壁面側に固定したガイドレールに嵌装し、架設しても撓むことなく、しっかりと吊り戸等を吊持することができる。
【０００８】
上記上レール取付部がさらに補強金具によって補強されることが好ましい。このようにすることによって、上レール取付部の強度がさらに向上するため、その両端部を部屋の上部両壁面側に固定されたガイドレールに嵌装し、架設しても撓むことなく、しっかりと吊り戸等を吊持することができる。
【０００９】
上記ガイドレールが、天井スラブから垂下された吊持金具によって部屋の上部両壁面側に固定されることが好ましい。このようにすることにより、吊持金具の長さを調節してガイドレールを所望の高さに設定することができる。
【００１０】
上記ガイドレールを、互いに部屋の内方に開口したＣ型チャネルとすることが好ましい。このようにすることにより、市販のＣ型チャンネルを用いて、簡単に、作業性よく、部屋の上部両壁面側にガイドレールを固定することができる。
【００１１】
【発明の実施の形態】
以下、本発明の好ましい実施の形態について、図面を参照して、さらに詳細に説明する。図１は、本発明にかかる間仕切り用上レール取付構造を施工した状態を示す説明図である。図２は、図１の要部説明図であり、図３は、図２のＸ−Ｘ線に沿う側断面図である。図１において、天井スラブ５の下方に、床面と平行に設けられた複数の上レール取付部Ａは、その両端を、ガイドレール４としてのＣ型チャネルに嵌装され、上レール取付部Ａ自身が、その長手方向と直角方向にスライド自在に架設されている。このとき、図２からよくわかるように、本実施形態においては、Ｃ型チャネルは、部屋の上部両側の左右壁面ＷにボルトＶによって固定されている。
【００１２】
上記上レール取付部Ａは、図２、図３によく示されているように、金属製の中空角柱からなる２本の天井下地材３と、この天井下地材３に挟まれた木製の上レール保持部２とからなり、上レール保持部２と各々の天井下地材３とはビスＢ１によって固定されている。また、上レール保持部２は、その下面に凹設した溝部に、下方に開口した上レール１をビスＢ２を用いて装着、固定している。図４は、上記のように構成した上レール取付部Ａに、さらに補強金具９をビスＢ３でビス留めすることにより補強し、上レール１の天井材載置部１１に、天井材８を載置した状態を示す部分断面斜視図である。
【００１３】
図５は、図４に示す上レール取付部Ａに固定された上レール１の開口部に、吊り戸６を回転手段７を介して取付けた状態を示す部分側断面図である。図５からよくわかるように、吊り戸６は、回転手段７を介して上レール１に吊持されているため、上レール１に沿って往復自在であり、また、既に説明したように、上レール取付部Ａ自体も、その長手方向と直角方向に、ガイドレール４に沿ってスライド移動自在である。したがって、吊り戸６を上レール１に沿って回転手段７を介して移動するとともに、上レール取付部Ａ自体もガイドレール４に沿ってスライド移動するだけで、簡単に、吊り戸６を所望の位置に設置することができる。かくして、施工時には、上記間仕切り用上レールの取付位置の微調整を作業性よく行えるとともに、施工後は区画する領域の変更を容易に行うことが可能となる。
【００１４】
以上は、ガイドレール４を部屋の上部左右壁面ＷにボルトＶ等の固定手段により固定した場合について説明したが、これに限られず、一端を天井スラブ５に埋め込んだアンカーボルトような垂下した吊持金具（図示しないがその構造は限定されない）を用いてガイドレールを固定し、部屋の上部左右壁面側に配置してもよい。このようにすることにより、吊持金具の長さを調節することにより、ガイドレールを所望の高さに設定することができるとともに、施工時には、上記間仕切り用上レールの取付位置の調整を作業性よく行え、施工後は区画する領域の変更を容易に行うことが可能となる。
【００１５】
【発明の効果】
以上述べたように、請求項１に記載の発明は、天井スラブ５の下方に位置するとともに、床面と平行に並設された複数の間仕切り用上レール取付部Ａからなる上レール取付構造において、該上レール取付部Ａの両端部を部屋の上部両壁面側に固定されたガイドレール４に嵌装し、該上レール取付部Ａ自身が間仕切りの可動方向と直角方向にスライド自在に架設されたことを特徴とする間仕切り用上レール取付構造である。このようにすることにより、施工時には、上記間仕切り用上レールの取付位置の微調整を作業性よく行え、また、施工後は、区画する領域の変更を容易に行うことができる。
【００１６】
請求項２に記載の発明は、上記上レール取付部Ａが２本の天井下地材３と、この天井下地材３に挟持されるように固定された上レール保持部２とからなるとともに、上記上レール保持部２下面に凹設した溝部に下方に開口した上レール１が固定される。また、上記天井下地材３としては金属製の中空角柱が、上レール保持部２としては木製が用いられる。上記のように構成し、各々の天井下地材３と木製の上レール保持部２とをビス留めすることにより、請求項１に記載の発明の効果に加えて、上レール取付部Ａ全体の強度が向上するため、その両端部を部屋の上部両壁面側に固定されたガイドレール４に嵌装し、架設しても撓むことなく、しっかりと吊り戸６等を吊持することができる。
【００１７】
請求項３に記載の発明は、上記上レール取付部Ａがさらに補強金具９によって補強される。このようにすることによって、請求項１に記載の発明の効果に加えて、上レール取付部Ａの強度がさらに向上するため、その両端部を部屋の上部両壁面側に固定されたガイドレール４に嵌装し、架設しても撓むことなく、しっかりと吊り戸６等を吊持することができる。
【００１８】
請求項４に記載の発明は、上記ガイドレール４が、天井スラブ５から垂下された吊持金具によって部屋の上部両壁面側に固定される。このようにすることにより、請求項１に記載の発明の効果に加えて、吊持金具の長さを調節してガイドレール４を所望の高さに設定することができる。
【００１９】
請求項５に記載の発明は、上記ガイドレール４が、互いに部屋の内方に開口したＣ型チャネルとされる。このようにすることにより、請求項１に記載の発明の効果に加えて、市販のＣ型チャンネルを用いて、簡単に、作業性よく、部屋の上部両壁面側にガイドレール４を固定することができる。
【図面の簡単な説明】
【図１】本発明にかかる間仕切り用上レール取付構造を示す説明図である。
【図２】図１における要部説明図である。
【図３】図２のＸ−Ｘ線に沿う側断面図である。
【図４】図２に示す上レール取付部を補強金具で補強し、天井材を載置した状態を示す部分断面斜視図である。
【図５】図４において吊り戸を回転手段を介して取付けた状態を示す部分側断面図である。
【図６】公知技術による間仕切り用上レール取付構造を示す説明図である。
【図７】同上を施工した状態を示す部分側断面図である。
【符号の説明】
Ａ          本発明にかかる間仕切り用上レール取付部
１          上レール
１１        天井材載置部
２          上レール保持部
３          天井下地材
４          ガイドレール
５          天井スラブ
６          吊り戸
７          回転手段
８          天井材
９          補強金具
１０        公知技術における上レール
１０１      同上天井材載置部
２０        同上支持金具
Ｂ１        固定用ビス
Ｂ２        固定用ビス
Ｂ３        固定用ビス
Ｖ          ボルト
Ｗ          壁面
【図１】
2004308327.tif 000003
【図２】
2004308327.tif 000004
【図３】
2004308327.tif 000005
【図４】
2004308327.tif 000006
【図５】
2004308327.tif 000007
【図６】
2004308327.tif 000008
【図７】
2004308327.tif 000009